(57)【要約】  吸引管路の詰まりを抑制可能な吸引制御装置及び内視鏡を提供する。  第１可動体（１０４）は、吸引源（５）に連通される第１接続孔（１１３）と、内視鏡（２）の吸引口（３４）に連通される第２接続孔（１１４）と、通気孔（１１５）と、を有し、第１可動体（１０４）は、吸引口（３４）と第２接続孔（１１４）とを連通させる吸引位置と、非吸引位置との間で移動可能にハウジング（１０２）の収容孔（１０３）に収容され、第２可動体（１０５）は、通気孔（１１５）を大気に開放する開放位置と、閉塞位置との間で移動可能に第１可動体（１０４）に支持されており、第１可動体（１０４）が非吸引位置に配置されている場合に、第２可動体（１０５）は開放位置に配置されており、第１可動体（１０４）が吸引位置に配置されている場合に、第２可動体（１０５）は開放位置若しくは閉塞位置に配置可能である。
2020162565.tif 000002
【特許請求の範囲】
【請求項１】
ハウジングと、
前記ハウジングに形成されている収容孔に移動可能に収容されている第１可動体と、
前記第１可動体に移動可能に支持されている第２可動体と、
前記第１可動体を付勢する第１付勢部材と、
前記第２可動体を付勢する第２付勢部材と、
を備え、
前記第１可動体は、
吸引源に連通される第１接続孔と、
前記第１接続孔に連通しており且つ内視鏡の吸引口に連通される第２接続孔と、
前記第１接続孔に連通している通気孔と、
を有し、
前記第１可動体は、前記内視鏡の吸引口と前記第２接続孔とを連通させる吸引位置と、前記内視鏡の吸引口と前記第２接続孔との連通を切断する非吸引位置との間で移動可能に前記収容孔に収容され、前記第１付勢部材によって前記吸引位置から前記非吸引位置に向けて付勢されており、
前記第２可動体は、前記通気孔を大気に開放する開放位置と、前記通気孔を閉塞する閉塞位置との間で移動可能に前記第１可動体に支持され、前記第２付勢部材によって前記閉塞位置から前記開放位置に向けて付勢されており、
前記第１可動体が前記非吸引位置に配置されている場合に、前記第２可動体は前記開放位置に配置されており、
前記第１可動体が前記吸引位置に配置されている場合に、前記第２可動体は前記開放位置若しくは前記閉塞位置又は前記開放位置と前記閉塞位置との間の中間位置に配置可能である内視鏡の吸引制御装置。
【請求項２】
請求項１記載の内視鏡の吸引制御装置であって、
前記非吸引位置から前記吸引位置に向かう前記第１可動体の移動方向と、前記開放位置から前記閉塞位置に向かう前記第２可動体の移動方向とが同一方向であり、
前記第２付勢部材の付勢力は、前記第１付勢部材の付勢力よりも大きい内視鏡の吸引制御装置。
【請求項３】
請求項１記載の内視鏡の吸引制御装置であって、
前記非吸引位置から前記吸引位置に向かう前記第１可動体の移動方向と、前記開放位置から前記閉塞位置に向かう前記第２可動体の移動方向とが交差している内視鏡の吸引制御装置。
【請求項４】
請求項１から３のいずれか一項記載の内視鏡の吸引制御装置であって、
前記第１可動体は、
前記収容孔に押し込まれることによって前記非吸引位置から前記吸引位置に移動し、
前記非吸引位置において前記収容孔に収容される下部と、
前記非吸引位置において前記収容から突出し、且つ前記吸引位置において前記収容孔に収容される中間部と、
前記吸引位置において前記収容孔から突出する上部と、
を有し、
前記ハウジングは、前記吸引口に連通される吸引口側接続孔を有し、
前記吸引口側接続孔は、前記収容孔の内周面において、前記非吸引位置に配置されている前記第１可動体の前記下部及び前記吸引位置に配置されている前記第１可動体の前記中間部と対向する領域に開口しており、
前記第２接続孔は、前記中間部に設けられており、
前記通気孔は、前記上部に設けられている内視鏡の吸引制御装置。
【請求項５】
請求項１から４のいずれか一項記載の内視鏡の吸引制御装置を操作部に備える内視鏡。
【発明の詳細な説明】
【技術分野】
【０００１】
本発明は、内視鏡の吸引制御装置及び内視鏡に関する。
【背景技術】
【０００２】
一般に、内視鏡は吸引制御装置を備え、吸引制御装置が操作されることにより、内視鏡の挿入部の先端部に設けられている吸引口が吸引ポンプ等の吸引源に連通される。これにより、体腔内の体液等の吸引物が、吸引口から吸引され、体腔外に排出される。【０００３】
特許文献１に記載された吸引制御装置は、内視鏡の操作部に設けられており、内視鏡の吸引管路は、吸引制御装置から吸引口に達する吸引チャンネルと、吸引制御装置から吸引ポンプに達する吸引チューブとによって構成されている。吸引制御装置は、吸引チャンネルと吸引チューブとを連通させるシリンダと、シリンダの内部に設けられた弁と、吸引位置と非吸引位置との間でシリンダの軸方向に進退自在な操作部材と、シリンダを非吸引位置に向けて付勢するカバーとを備え、カバーには、リーク孔が形成されている。【０００４】
操作部材が非吸引位置にある場合に、弁は閉じており、吸引チャンネルと吸引チューブとの連通は切断されている。そして、リーク孔は開いており、吸引チューブは大気に開放されている。操作部材が吸引位置に移動された場合に、リーク孔は閉じられ、弁は開かれる。これにより、吸引チャンネルと吸引チューブとが連通し、吸引力が吸引口に生じる。
【先行技術文献】
【特許文献】
【０００５】
【特許文献１】日本国特許第３１８７１０２号公報
【発明の概要】
【発明が解決しようとする課題】
【０００６】
特許文献１に記載された吸引制御装置では、操作部材が非吸引位置から吸引位置に移動される過程において、リーク孔は次第に閉じられ、逆に、弁は次第に開かれる。このため、弁が全開状態に至る以前に、体腔内の体液等の吸引物を吸引可能な程度の吸引力が吸引口に生じてしまい、吸引された吸引物が半開状態の弁に引っ掛かり、吸引管路が詰まる虞がある。【０００７】
本発明は、上述した事情に鑑みなされたものであり、吸引管路の詰まりを抑制可能な吸引制御装置及び内視鏡を提供することを目的とする。
【課題を解決するための手段】
【０００８】
本発明の一態様の内視鏡の吸引制御装置は、ハウジングと、上記ハウジングに形成されている収容孔に移動可能に収容されている第１可動体と、上記第１可動体に移動可能に支持されている第２可動体と、上記第１可動体を付勢する第１付勢部材と、上記第２可動体を付勢する第２付勢部材と、を備え、上記第１可動体は、吸引源に連通される第１接続孔と、上記第１接続孔に連通しており且つ内視鏡の吸引口に連通される第２接続孔と、上記第１接続孔に連通している通気孔と、を有し、上記第１可動体は、上記内視鏡の吸引口と上記第２接続孔とを連通させる吸引位置と、上記内視鏡の吸引口と上記第２接続孔との連通を切断する非吸引位置との間で移動可能に上記収容孔に収容され、上記第１付勢部材によって上記吸引位置から上記非吸引位置に向けて付勢されており、上記第２可動体は、上記通気孔を大気に開放する開放位置と、上記通気孔を閉塞する閉塞位置との間で移動可能に上記第１可動体に支持され、上記第２付勢部材によって上記閉塞位置から上記開放位置に向けて付勢されており、上記第１可動体が上記非吸引位置に配置されている場合に、上記第２可動体は上記開放位置に配置されており、上記第１可動体が上記吸引位置に配置されている場合に、上記第２可動体は上記開放位置若しくは上記閉塞位置又は上記開放位置と上記閉塞位置との間の中間位置に配置可能である。【０００９】
また、本発明の一態様の内視鏡は、上記吸引制御装置を操作部に備える。
【発明の効果】
【００１０】
本発明によれば、吸引管路の詰まりを抑制可能な吸引制御装置及び内視鏡を提供することができる。
【図面の簡単な説明】
【００１１】
【図１】本発明の実施形態を説明するための、内視鏡の一例の斜視図である。
【図２】図１の内視鏡を含む内視鏡システムの一例の模式図である。
【図３】図１の内視鏡の吸引制御装置の断面図である。
【図４】図３の吸引制御装置の変形例の断面図である。
【図５】図３の吸引制御装置の動作を示す模式図である。
【図６】図３の吸引制御装置の動作を示す模式図である。
【図７】図３の吸引制御装置の動作を示す模式図である。
【図８】図３の吸引制御装置の動作を示す模式図である。
【図９】図５から図８の吸引制御装置の動作における吸引力の変化を示すグラフである。
【図１０】図３の吸引制御装置の他の変形例の断面図である。
【図１１】本発明の実施形態を説明するための、内視鏡の吸引制御装置の他の例の断面図である。
【図１２】図１１の吸引制御装置の動作を示す模式図である。
【図１３】図１１の吸引制御装置の動作を示す模式図である。
【図１４】図１１の吸引制御装置の動作を示す模式図である。
【図１５】図１１の吸引制御装置の動作を示す模式図である。
【図１６】図１１の吸引制御装置の変形例の断面図である。
【発明を実施するための形態】
【００１２】
図１は、本発明の実施形態を説明するための、内視鏡の一例を示し、図２は、図１の内視鏡を含む内視鏡システムの一例を示す。
【００１３】
内視鏡システム１は、内視鏡２と、光源装置３と、プロセッサユニット４と、吸引源である吸引ポンプ５とを備える。内視鏡２は軟性鏡であり、被検体内に挿入される挿入部１０と、挿入部１０に連なる操作部１１と、操作部１１から延びるユニバーサルコード１２とを有し、ユニバーサルコード１２の末端には、光源装置３に接続されるコネクタ１３が設けられている。
【００１４】
挿入部１０は、先端部１４と、先端部１４に連なる湾曲部１５と、湾曲部１５と操作部１１とを接続している軟性部１６とで構成されている。先端部１４には、ＣＣＤ（Charge Coupled Device）イメージセンサ、ＣＭＯＳ（Complementary Metal Oxide Semiconductor）イメージセンサ等の撮像素子を含む撮像部１７が搭載されている。なお、内視鏡２が超音波内視鏡である場合に、先端部１４には、撮像部１７に替えて、又は撮像部１７に加えて超音波を発信及び受信する超音波振動子が搭載される。湾曲部１５は湾曲可能に構成されており、湾曲部１５の湾曲は操作部１１によって操作される。また、軟性部１６は、被検体内の挿入経路の形状に倣って変形可能な程に可撓に構成されている。
【００１５】
操作部１１には、湾曲部１５の湾曲を操作する操作ノブ１８、撮像部１７を用いた撮像を操作する操作ボタン１９が設けられている。また、操作部１１には、処置具が挿通される処置具挿通チャンネル２３の入口部分２４が設けられている。
【００１６】
挿入部１０及び操作部１１の内部には、複数の操作ワイヤ２２と、処置具挿通チャンネル２３とが設けられている。操作ワイヤ２２は、操作部１１から挿入部１０の先端部１４に達しており、操作ノブ１８の操作に応じて先端部１４側に押し出され、又は操作部１１側に引っ張られる。挿入部１０の湾曲部１５は、操作ワイヤ２２の押し引きに応じて湾曲される。処置具挿通チャンネル２３は、操作部１１に設けられている入口部分２４から挿入部１０の先端部１４まで延びており、処置具挿通チャンネル２３の出口部分２５は先端部１４の先端面に開口している。
【００１７】
挿入部１０及び操作部１１並びにユニバーサルコード１２の内部には、ライトガイド２０と、電気ケーブル２１とが設けられている。ライトガイド２０は、光源装置３によって生成される照明光を先端部１４に導く。電気ケーブル２１は、撮像部１７の動作電力、制御信号、及び撮影画像信号を、撮像部１７とプロセッサユニット４との間で伝送する。プロセッサユニット４は、入力された撮影画像信号から撮影画像データを生成し、生成した撮影画像データをモニタ６に表示させ、記録する。
【００１８】
また、挿入部１０及び操作部１１並びにユニバーサルコード１２の内部には、吸引管路３０が設けられている。吸引管路３０は、操作部１１からユニバーサルコード１２を経てコネクタ１３まで延びる吸引源側管路３１と、操作部１１から挿入部１０の先端部１４まで延びる吸引口側管路３２とによって構成されている。吸引源側管路３１は、コネクタ１３の口金２６に接続された接続チューブ３３を介して吸引ポンプ５に通じている。吸引口側管路３２は、操作部１１において処置具挿通チャンネル２３と合流しており、処置具挿通チャンネル２３に合流した吸引口側管路３２は、処置具挿通チャンネル２３の出口部分２５に通じている。処置具挿通チャンネル２３の出口部分２５の開口は吸引口３４としても機能し、体液等の吸引物は吸引口３４から吸引される。なお、処置具挿通チャンネル２３の入口部分２４の開口には、開閉弁を有する鉗子栓２７が装着されており、吸引時には、入口部分２４の開口が鉗子栓２７によって閉じられる。これにより、処置具挿通チャンネル２３及び吸引管路の３０の内圧が負圧に保たれる。
【００１９】
そして、操作部１１には、吸引を制御する吸引制御装置１００が設けられており、吸引制御装置１００は、吸引源側管路３１と吸引口側管路３２との間に介在している。吸引制御装置１００は、操作ボタン１０１を有し、操作ボタン１０１の操作に応じて吸引源側管路３１と吸引口側管路３２とを連通させる。吸引源側管路３１と吸引口側管路３２とが連通することにより、体液等の吸引物が吸引口３４から吸引される。
【００２０】
図３は、吸引制御装置１００を示す。
【００２１】
吸引制御装置１００は、ハウジング１０２と、ハウジング１０２に形成されている収容孔１０３に移動可能に収容されている第１可動体１０４と、第１可動体１０４に移動可能に支持されている第２可動体１０５と、第１可動体１０４を付勢する第１付勢部材１０６と、第２可動体１０５を付勢する第２付勢部材１０７とを備える。吸引制御装置１００の操作ボタン１０１は、第１可動体１０４及び第２可動体１０５によって構成される。
【００２２】
ハウジング１０２は、内視鏡２の操作部１１の筐体と一体に形成され、又は操作部１１の筐体に組み付けられている。ハウジング１０２は、円柱状の収容孔１０３と、吸引源側管路３１が接続される吸引源側接続孔１０８と、吸引口側管路３２が接続される吸引口側接続孔１０９とを有する。吸引源側接続孔１０８は収容孔１０３の底面に開口しており、吸引口側接続孔１０９は収容孔１０３の内周面に開口している。
【００２３】
第１可動体１０４は、円柱状に形成されており、収容孔１０３の軸方向に移動可能に収容孔１０３に嵌合している。第１付勢部材１０６は、収容孔１０３の底面と、収容孔１０３の底面に対向する第１可動体１０４の基端面との間に挟み込まれている。第１付勢部材１０６は、例えばコイルばね、ゴム等の弾性体である。ハウジング１０２及び第１可動体１０４には、第１可動体１０４の抜け止めを行う適宜な係合部（不図示）が設けられている。第１可動体１０４は、上記係合部によって抜け止めされる非吸引位置と、この非吸引位置から収容孔１０３の底面側に押し込まれた吸引位置との間で移動可能であり、第１付勢部材１０６によって吸引位置から非吸引位置に向けて付勢されている。図３には、第１可動体１０４が非吸引位置に配置されている状態が示されている。なお、図４に示すように、第１付勢部材１０６は、収容孔１０３の外に配置され、ハウジング１０２と第１可動体１０４との間に挟み込まれてもよい。
【００２４】
第１可動体１０４が非吸引位置に配置されている状態で、第１可動体１０４の基端側の下部１１０は収容孔１０３に収容されている。第１可動体１０４が吸引位置に配置されている状態で、第１可動体１０４の先端側の上部１１１は収容孔１０３から突出する。そして、下部１１０と上部１１１との間の中間部１１２は、第１可動体１０４が非吸引位置に配置されている状態では収容孔１０３から突出し、第１可動体１０４が吸引位置に配置されている状態では収容孔１０３に収容される。
【００２５】
第１可動体１０４は、第１接続孔１１３と、第２接続孔１１４と、通気孔１１５とを有する。第１接続孔１１３は、第１可動体１０４の下部１１０から上部１１１に亘って第１可動体１０４の軸方向に延びており、第１可動体１０４の基端面に開口している。第１可動体１０４の基端面に開口している第１接続孔１１３は、吸引源側管路３１を介して吸引ポンプ５に連通している。第２接続孔１１４は、第１可動体１０４の中間部１１２において第１可動体１０４の径方向に延びており、第２接続孔１１４の少なくとも一端は、中間部１１２の外周面に開口している。第２接続孔１１４は、第１接続孔１１３と交差し、第１接続孔１１３に連通している。通気孔１１５は、第１可動体１０４の上部１１１において第１可動体１０４の径方向に延びており、通気孔１１５の少なくとも一端は、上部１１１の外周面に開口している。通気孔１１５は、第１接続孔１１３と交差し、第１接続孔１１３に連通している。
【００２６】
第２可動体１０５は、円筒形のキャップ状に形成されており、第１可動体１０４の軸方向に移動可能に第１可動体１０４の上部１１１に嵌合している。第２付勢部材１０７は、第１可動体１０４の先端面と、第１可動体１０４の先端面に対向する第２可動体１０５の天面との間に挟み込まれている。第２付勢部材１０７は、例えばコイルばね、ゴム等の弾性体である。第１可動体１０４及び第２可動体１０５には、第２可動体１０５の抜け止めを行う適宜な係合部（不図示）が設けられている。第２可動体１０５は、上記係合部によって抜け止めされる開放位置と、この開放位置から第１可動体１０４の先端面側に押し込まれた閉塞位置との間で移動可能であり、第２付勢部材１０７によって閉塞位置から開放位置に向けて付勢されている。図３には、第２可動体１０５が開放位置に配置されている状態が示されている。
【００２７】
本例では、非吸引位置から吸引位置に向かう第１可動体１０４の移動方向と、開放位置から閉塞位置に向かう第２可動体１０５の移動方向とが同一方向であり、第２付勢部材１０７の付勢力は、第１付勢部材１０６の付勢力よりも大きく設定されている。換言すれば、第１付勢部材１０６及び第２付勢部材１０７が、いずれもコイルばねであるものとして、第２付勢部材１０７のばね定数は、第１付勢部材１０６のばね定数よりも大きく設定されている。
【００２８】
図５から図８は、吸引制御装置１００の動作を示す。
【００２９】
図５では、第１可動体１０４及び第２可動体１０５が操作されておらず、第１可動体１０４は非吸引位置に配置されており、第２可動体１０５は開放位置に配置されている。吸引口側接続孔１０９は、第１可動体１０４の下部１１０によって閉塞されている。第１可動体１０４の中間部１１２に設けられている第２接続孔１１４と、上部１１１に設けられている通気孔１１５とは、いずれも大気に開放されている。この場合、外気が、第２接続孔１１４及び通気孔１１５を通して吸引源側管路３１に吸い込まれるだけであり、吸引口側管路３２は減圧されず、吸引力が吸引口３４に生じることもない。したがって、内視鏡先端部の出口部分２５から体内の空気や体液が漏れることを防ぐことができる。
【００３０】
図６から図８は、第１可動体１０４及び第２可動体１０５が操作された場合を示している。操作によって、第１可動体１０４及び第２可動体１０５が収容孔１０３の底面側に押し込まれる。ここで、第２可動体１０５を付勢している第２付勢部材１０７の付勢力が、第１可動体１０４を付勢している第１付勢部材１０６の付勢力よりも大きく設定されているため、まず、図６に示すように、第１可動体１０４が非吸引位置から吸引位置に移動される。次いで、図７及び図８に示すように、第２可動体１０５が開放位置から閉塞位置に移動される。
【００３１】
図６に示すように、第１可動体１０４が吸引位置に移動された状態で、第１可動体１０４の中間部１１２は収容孔１０３に収容されている。中間部１１２に設けられている第２接続孔１１４の全部が吸引口側接続孔１０９に重なっており、吸引口側管路３２は、第１接続孔１１３及び第２接続孔１１４を介して吸引源側管路３１に連通している。しかし、第１可動体１０４の上部１１１は収容孔１０３から突出しており、且つ第２可動体１０５は開放位置に配置されており、上部１１１に設けられている通気孔１１５が、依然として大気に開放されている。したがって、吸引口側管路３２がいくらか減圧され、僅かな吸引力が吸引口３４に生じるが、主として、外気が、通気孔１１５を通して吸引源側管路３１に吸い込まれる。また、この状態で体液が逆流してきた場合には、吸引源側管路３１に吸引されるため、操作者に飛散することはない。
【００３２】
図７及び図８に示すように、第２可動体１０５が閉塞位置に向けて移動されると、第１可動体１０４の上部１１１に設けられている通気孔１１５が、第２可動体１０５によって次第に閉じられる。通気孔１１５の縮小に伴い、通気孔１１５を通して吸引源側管路３１に吸い込まれる外気の流量が減少する。通気孔１１５を流れる外気の流量の減少に応じ、吸引口側管路３２の圧力の減少量が大きくなり、吸引口３４に生じる吸引力が上昇する。
【００３３】
図９は、図５から図８に示した吸引制御装置１００の動作において、吸引口３４に生じる吸引力の変化を示す。横軸は、第１可動体１０４が非吸引位置に配置され且つ第２可動体１０５が開放位置に配置されている際の第２可動体１０５の位置を原点とし、ハウジング１０２に対する第２可動体１０５の変位量Ｄである。また、縦軸は、吸引口３４における吸引力Ｐである。なお、吸引力Ｐは、大気圧と吸引口３４の内圧との差とする。
【００３４】
変位量Ｄ１は、第１可動体１０４が吸引位置に移動された際の、第２可動体１０５の変位量である（図６参照）。変位量Ｄ２は、第１可動体１０４が吸引位置に移動され、さらに、第２可動体１０５が開放位置との閉塞位置との間の中間位置に移動された際の、第２可動体１０５の変位量である（図７参照）。そして、変位量Ｄ３は、第１可動体１０４が吸引位置に移動され、さらに、第２可動体１０５が閉塞位置に移動された際の、第２可動体１０５の変位量である（図８参照）。
【００３５】
変位量Ｄ３において、吸引力Ｐは最大値Ｐ３となる。変位量Ｄ１における吸引力Ｐ１は、吸引力Ｐの最大値Ｐ３に対して極めて小さく、吸引口３４から体液等の吸引物を吸引するには不足である。吸引口３４から体液等の吸引物を吸引するのに必要な吸引力が、例えば変位量Ｄ２における吸引力Ｐ２であるものとして、変位量Ｄ１において、第２接続孔１１４の全部が吸引口側接続孔１０９に重なっており、第２接続孔１１４と吸引口側接続孔１０９との接続箇所が完全に開通している。これにより、変位量Ｄ２において吸引がなされた際に、吸引物が、第２接続孔１１４と吸引口側接続孔１０９との接続箇所に引っ掛かることが抑制され、吸引管路３０の詰まりが抑制される。
【００３６】
図１０は、吸引制御装置１００の変形例を示す。
【００３７】
図１０に示す例では、第１可動体１０４の上部１１１に設けられる通気孔１１５が、第１可動体１０４の径方向に延びており、通気孔１１５の一端が、上部１１１の外周面に開口している。そして、第２可動体１０５が、通気孔１１５と平行な第１可動体１０４の径方向に移動可能に上部１１１に被さっている。第２可動体１０５は、通気孔１１５の開口側において上部１１１の外周面と第２可動体１０５の内周面との間に適宜な隙間がおかれる開放位置と、上部１１１の外周面と第２可動体１０５の内周面とが密接する閉塞位置との間で移動可能であり、第２付勢部材１０７によって閉塞位置から開放位置に向けて付勢されている。図１０には、第２可動体１０５が開放位置に配置されている状態が示されている。
【００３８】
第１可動体１０４及び第２可動体１０５が収容孔１０３の底面側に押し込まれ、第１可動体１０４が吸引位置に移動された場合に、吸引口側管路３２は、第１接続孔１１３及び第２接続孔１１４を介して吸引源側管路３１に連通する。しかし、第１可動体１０４の上部１１１は収容孔１０３から突出しており、且つ第２可動体１０５は開放位置に配置されており、上部１１１に設けられている通気孔１１５が、依然として大気に開放される。したがって、吸引口側管路３２がいくらか減圧され、僅かな吸引力が吸引口３４に生じるが、主として、外気が、通気孔１１５を通して吸引源側管路３１に吸い込まれる。
【００３９】
第１可動体１０４が吸引位置に配置されている状態で、第２可動体１０５が閉塞位置に向けて移動されると、通気孔１１５の開口側における第１可動体１０４の上部１１１の外周面と第２可動体１０５の内周面との隙間が次第に狭められる。通気孔１１５に通じる隙間の縮小に伴い、通気孔１１５を通して吸引源側管路３１に吸い込まれる外気の流量が減少する。通気孔１１５を流れる外気の流量の減少に応じ、吸引口側管路３２の圧力の減少量が大きくなり、吸引口３４に生じる吸引力が上昇する。吸引力が上昇に転じるタイミングでは、第２接続孔１１４の全部が吸引口側接続孔１０９に重なっており、第２接続孔１１４と吸引口側接続孔１０９との接続箇所が完全に開通している。これにより、吸引物が、第２接続孔１１４と吸引口側接続孔１０９との接続箇所に引っ掛かることが抑制され、吸引管路３０の詰まりが抑制される。
【００４０】
本例では、非吸引位置から吸引位置に向かう第１可動体１０４の移動方向と、開放位置から閉塞位置に向かう第２可動体１０５の移動方向とが交差しており、第１可動体１０４の吸引位置に向けた移動と、第２可動体１０５の閉塞位置に向けた移動とは、互いに独立である。したがって、第２付勢部材１０７の付勢力を、第１付勢部材１０６の付勢力以下に設定でき、第２可動体１０５の移動に要する操作力を低減できる。
【００４１】
図１１は、本発明の実施形態を説明するための、内視鏡の吸引制御装置の他の例を示す。なお、図１１に示す吸引制御装置を備える内視鏡は、基本的に図１及び図２に示した内視鏡２と同一であるが、内視鏡内に吸引源側管路３１が内蔵されていない。ただし、吸引源側管路３１が内蔵されている場合でも実施可能である。
【００４２】
吸引制御装置２００は、ハウジング２０２と、ハウジング２０２に形成されている収容孔２０３に移動可能に収容されている第１可動体２０４と、第１可動体２０４に移動可能に支持されている第２可動体２０５と、第１可動体２０４を付勢する第１付勢部材２０６と、第２可動体２０５を付勢する第２付勢部材２０７とを備える。
【００４３】
ハウジング２０２は、円柱状の収容孔２０３と、吸引口側管路３２が接続される吸引口側接続孔２０９とを有する。吸引口側接続孔２０９は収容孔１０３の周面に開口している。
【００４４】
第１可動体２０４は、円柱状に形成されており、収容孔２０３の軸方向に移動可能に収容孔２０３に嵌合している。第１付勢部材２０６は、収容孔２０３の底面と、収容孔２０３の底面に対向する第１可動体２０４の基端面との間に挟み込まれている。ハウジング２０２及び第１可動体２０４には、第１可動体２０４の抜け止めを行う適宜な係合部（不図示）が設けられている。第１可動体２０４は、上記係合部によって抜け止めされる非吸引位置と、この非吸引位置から収容孔２０３の底面側に押し込まれた吸引位置との間で移動可能であり、第１付勢部材２０６によって吸引位置から非吸引位置に向けて付勢されている。図１１には、第１可動体２０４が非吸引位置に配置されている状態が示されている。なお、図４に示した吸引制御装置１００と同様、第１付勢部材２０６は、収容孔２０３の外に配置され、ハウジング２０２と第１可動体２０４との間に挟み込まれてもよい。
【００４５】
第１可動体２０４が非吸引位置に配置されている状態で、第１可動体２０４の基端側の下部２１０は収容孔２０３に収容されている。第１可動体２０４が吸引位置に配置されている状態で、第１可動体２０４の先端側の上部２１１は収容孔２０３から突出する。そして、下部２１０と上部２１１との間の中間部２１２は、第１可動体２０４が非吸引位置に配置されている状態では収容孔２０３から突出し、第１可動体２０４が吸引位置に配置されている状態では収容孔２０３に収容される。
【００４６】
第１可動体２０４は、吸引チューブ３３が接続される吸引源側接続孔２０８と、第１接続孔２１３と、第２接続孔２１４と、通気孔２１５とを有する。吸引源側接続孔２０８は、第１可動体２０４の上部２１１に設けられており、吸引チューブ３３を介して直接吸引ポンプ５に接続される。第１接続孔２１３は、第１可動体２０４の上部２１１において、吸引源側接続孔２０８から第１可動体１０４の径方向に延びている。第１接続孔２１３は、吸引チューブ３３を介して吸引ポンプ５に連通している。第２接続孔２１４は、第１可動体２０４の中間部２１２において第１可動体２０４の径方向に延びており、第２接続孔２１４の少なくとも一端は、中間部２１２の外周面に開口している。第２接続孔２１４は、第１可動体１０４の軸方向に延びる接続孔２１６を介して第１接続孔２１３に連通している。通気孔２１５は、第１可動体２０４の上部２１１において第１可動体２０４の径方向に延びており、通気孔２１５の一端は、上部２１１の外周面に開口している。通気孔２１５は、第１接続孔２１３と交差し、第１接続孔２１３に連通している。
【００４７】
第２可動体２０５は、円筒形のキャップ状に形成されており、第１可動体２０４の軸方向に移動可能に第１可動体２０４の上部２１１に嵌合している。第２付勢部材２０７は、第１可動体２０４の先端面と、第１可動体２０４の先端面に対向する第２可動体２０５の天面との間に挟み込まれている。第１可動体２０４及び第２可動体２０５には、第２可動体２０５の抜け止めを行う適宜な係合部（不図示）が設けられている。第２可動体２０５は、上記係合部によって抜け止めされる開放位置と、この開放位置から第１可動体２０４の先端面側に押し込まれた閉塞位置との間で移動可能であり、第２付勢部材２０７によって閉塞位置から開放位置に向けて付勢されている。図１１には、第２可動体２０５が開放位置に配置されている状態が示されている。
【００４８】
本例では、非吸引位置から吸引位置に向かう第１可動体２０４の移動方向と、開放位置から閉塞位置に向かう第２可動体２０５の移動方向とが同一方向であり、第２付勢部材２０７の付勢力は、第１付勢部材２０６の付勢力よりも大きく設定されている。
【００４９】
図１２から図１５は、吸引制御装置２００の動作を示す。
【００５０】
図１２では、第１可動体２０４及び第２可動体２０５が操作されておらず、第１可動体２０４は非吸引位置に配置されており、第２可動体２０５は開放位置に配置されている。吸引口側管路３２が接続されている吸引口側接続孔２０９は、第１可動体２０４の下部２１０によって閉塞されている。第１可動体２０４の中間部２１２に設けられている第２接続孔２１４と、上部２１１に設けられている通気孔２１５とは、いずれも大気に開放されている。この場合、外気が、第２接続孔２１４及び通気孔２１５を通して吸引チューブ３３に吸い込まれるだけであり、吸引口側管路３２は減圧されず、吸引力が吸引口３４に生じることもない。
【００５１】
図１３から図１５は、第１可動体２０４及び第２可動体２０５が操作された場合を示している。操作によって、第１可動体２０４及び第２可動体２０５が収容孔２０３の底面側に押し込まれる。ここで、第２可動体２０５を付勢している第２付勢部材２０７の付勢力が、第１可動体２０４を付勢している第１付勢部材２０６の付勢力よりも大きく設定されているため、まず、図１３に示すように、第１可動体２０４が非吸引位置から吸引位置に移動される。次いで、図１４及び図１５に示すように、第２可動体２０５が開放位置から閉塞位置に移動される。
【００５２】
図１３に示すように、第１可動体２０４が吸引位置に移動された状態で、第１可動体２０４の中間部２１２は収容孔２０３に収容されている。中間部２１２に設けられている第２接続孔２１４の全部が吸引口側接続孔２０９に重なっており、吸引口側管路３２は、第１接続孔２１３及び第２接続孔２１４を介して吸引チューブ３３に連通している。しかし、第１可動体２０４の上部２１１は収容孔２０３から突出しており、且つ第２可動体２０５は開放位置に配置されており、上部２１１に設けられている通気孔２１５が、依然として大気に開放されている。したがって、吸引口側管路３２がいくらか減圧され、僅かな吸引力が吸引口３４に生じるが、主として、外気が、通気孔２１５を通して吸引チューブ３３に吸い込まれる。
【００５３】
図１４及び図１５に示すように、第２可動体２０５が閉塞位置に向けて移動されると、第１可動体２０４の上部２１１に設けられている通気孔２１５が、第２可動体２０５によって次第に閉じられる。通気孔２１５の縮小に伴い、通気孔２１５を通して吸引チューブ３３に吸い込まれる外気の流量が減少する。通気孔２１５を流れる外気の流量の減少に応じ、吸引口側管路３２の圧力の減少量が大きくなり、吸引口３４に生じる吸引力が上昇する。吸引力が上昇に転じるタイミングでは、第２接続孔２１４の全部が吸引口側接続孔２０９に重なっており、第２接続孔２１４と吸引口側接続孔２０９との接続箇所が完全に開通しており、吸引物が、第２接続孔２１４と吸引口側接続孔２０９との接続箇所に引っ掛かることが抑制され、吸引管路３０の詰まりが抑制される。
【００５４】
なお、図１６に示すように、第２可動体１０５は、通気孔２１５と平行な第１可動体２０４の径方向に移動可能に第１可動体２０４の上部２１１に被さってもよい。この場合、非吸引位置から吸引位置に向かう第１可動体２０４の移動方向と、開放位置から閉塞位置に向かう第２可動体２０５の移動方向とが交差し、第１可動体１０４の吸引位置に向けた移動と、第２可動体１０５の閉塞位置に向けた移動とが、互いに独立となる。したがって、第２付勢部材２０７の付勢力を、第１付勢部材２０６の付勢力以下に設定でき、第２可動体２０５の移動に要する操作力を低減できる。
【００５５】
以上説明したとおり、本明細書に開示された内視鏡の吸引制御装置は、ハウジングと、上記ハウジングに形成されている収容孔に移動可能に収容されている第１可動体と、上記第１可動体に移動可能に支持されている第２可動体と、上記第１可動体を付勢する第１付勢部材と、上記第２可動体を付勢する第２付勢部材と、を備え、上記第１可動体は、吸引源に連通される第１接続孔と、上記第１接続孔に連通しており且つ内視鏡の吸引口に連通される第２接続孔と、上記第１接続孔に連通している通気孔と、を有し、上記第１可動体は、上記内視鏡の吸引口と上記第２接続孔とを連通させる吸引位置と、上記内視鏡の吸引口と上記第２接続孔との連通を切断する非吸引位置との間で移動可能に上記収容孔に収容され、上記第１付勢部材によって上記吸引位置から上記非吸引位置に向けて付勢されており、上記第２可動体は、上記通気孔を大気に開放する開放位置と、上記通気孔を閉塞する閉塞位置との間で移動可能に上記第１可動体に支持され、上記第２付勢部材によって上記閉塞位置から上記開放位置に向けて付勢されており、上記第１可動体が上記非吸引位置に配置されている場合に、上記第２可動体は上記開放位置に配置されており、上記第１可動体が上記吸引位置に配置されている場合に、上記第２可動体は上記開放位置若しくは上記閉塞位置又は上記開放位置と上記閉塞位置との間の中間位置に配置可能である。
【００５６】
また、本明細書に開示された内視鏡の吸引制御装置は、上記非吸引位置から上記吸引位置に向かう上記第１可動体の移動方向と、上記開放位置から上記閉塞位置に向かう上記第２可動体の移動方向とが同一方向であり、上記第２付勢部材の付勢力は、上記第１付勢部材の付勢力よりも大きい。
【００５７】
また、本明細書に開示された内視鏡の吸引制御装置は、上記非吸引位置から上記吸引位置に向かう上記第１可動体の移動方向と、上記開放位置から上記閉塞位置に向かう上記第２可動体の移動方向とが交差している。
【００５８】
また、本明細書に開示された内視鏡の吸引制御装置は、上記第１可動体は、上記収容孔に押し込まれることによって上記非吸引位置から上記吸引位置に移動し、上記非吸引位置において上記収容孔に収容される下部と、上記非吸引位置において上記収容から突出し、且つ上記吸引位置において上記収容孔に収容される中間部と、上記吸引位置において上記収容孔から突出する上部と、を有し、上記ハウジングは、上記吸引口に連通される吸引口側接続孔を有し、上記吸引口側接続孔は、上記収容孔の内周面において、上記非吸引位置に配置されている上記第１可動体の上記下部及び上記吸引位置に配置されている上記第１可動体の上記中間部と対向する領域に開口しており、上記第２接続孔は、上記中間部に設けられており、上記通気孔は、上記上部に設けられている。
【００５９】
また、本明細書に開示された内視鏡は、上記吸引制御装置を操作部に備える。
【００６０】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【００６１】
なお、本出願は、２０１９年２月８日出願の日本特許出願（特願２０１９−０２１６８４）に基づくものであり、その内容は本出願の中に参照として援用される。
【符号の説明】
【００６２】
１  内視鏡システム
２  内視鏡
３  光源装置
４  プロセッサユニット
５  吸引ポンプ（吸引源）
６  モニタ
１０  挿入部
１１  操作部
１２  ユニバーサルコード
１３  コネクタ
１４  挿入部の先端部
１５  湾曲部
１６  軟性部
１７  撮像部
１８  操作ノブ
１９  操作ボタン
２０  ライトガイド
２１  電気ケーブル
２２  操作ワイヤ
２３  処置具挿通チャンネル
２４  処置具挿通チャンネルの入口部分
２５  処置具挿通チャンネルの出口部分
２６  口金
２７  鉗子栓
３０  吸引管路
３１  吸引源側管路
３２  吸引口側管路
３３  接続チューブ
３４  吸引口
１００  吸引制御装置
１０１  操作ボタン
１０２  ハウジング
１０３  収容孔
１０４  第１可動体
１０５  第２可動体
１０６  第１付勢部材
１０７  第２付勢部材
１０８  吸引源側接続孔
１０９  吸引口側接続孔
１１０  第１可動体の下部
１１１  第１可動体の上部
１１２  第１可動体の中間部
１１３  第１接続孔
１１４  第２接続孔
１１５  通気孔
２００  吸引制御装置
２０２  ハウジング
２０３  収容孔
２０４  第１可動体
２０５  第２可動体
２０６  第１付勢部材
２０７  第２付勢部材
２０８  吸引源側接続孔
２０９  吸引口側接続孔
２１０  第１可動体の下部
２１１  第１可動体の上部
２１２  第１可動体の中間部
２１３  第１接続孔
２１４  第２接続孔
２１５  通気孔
２１６  接続孔
Ｄ  変位量
Ｐ  吸引力
【図１】
2020162565.tif 000003
【図２】
2020162565.tif 000004
【図３】
2020162565.tif 000005
【図４】
2020162565.tif 000006
【図５】
2020162565.tif 000007
【図６】
2020162565.tif 000008
【図７】
2020162565.tif 000009
【図８】
2020162565.tif 000010
【図９】
2020162565.tif 000011
【図１０】
2020162565.tif 000012
【図１１】
2020162565.tif 000013
【図１２】
2020162565.tif 000014
【図１３】
2020162565.tif 000015
【図１４】
2020162565.tif 000016
【図１５】
2020162565.tif 000017
【図１６】
2020162565.tif 000018
【国際調査報告】
2020162565.tif 000019
2020162565.tif 000020
2020162565.tif 000021
2020162565.tif 000022